Podtech/llm-jp-corpus-v4-ja_patent huggingface dataset:
(57)【要約】      （修正有）【課題】室外機の温度上昇を抑えることにより、エアコン自体の消費電力を軽減できるエアコン室外機を提供する。【解決手段】エアコンの作動は、室外機から外気を取り入れ、それをエアコン室内機に送り届けるのであるが、特に炎天下に発生する、エアコン室外機の温度上昇によって、熱交換効率の低下を防ぐ為に、室外機の外周に遮熱塗料を塗布し、更に効率を上げる為と、強風による破損を防ぐ為に、室外機本体に遮熱塗料を塗布した、日陰ひさし３を設置した。【選択図】図１
0003232440.tif 000002
【実用新案登録請求の範囲】
【請求項１】
特に夏の炎天下に発生する、エアコン室外機の温度上昇によって、熱交換効率の低下を防ぐ為に、室外機の外周に遮熱塗料を塗布し、更に効率を上げる為と、強風による破損を防ぐ為に、室外機本体に遮熱塗料を塗布した、日除けひさしを設置したものである。
【考案の詳細な説明】
【技術分野】
【０００１】  本考案は、エアコンの室外機の温度上昇を抑えることにより、エアコン自体の消費電力を軽減できるようにしたものである。
【背景技術】
【０００２】  エアコンの室外機は、特に夏の炎天下では、日光の照射によって、温度が上昇することにより、エアコンの熱交換機能が低下し、電力使用量の増大を招いてしまっていた。
【先行技術文献】
【特許文献】
【０００３】
【特許文献１】特開２０１９−０９５１８０
【０００４】
【特許文献２】特許６２８４１３４
【０００５】
【特許文献３】実登３１８４５０２
【０００６】
【特許文献４】特開２０１５−０９６７９８
【考案の概要】
【考案が解決しようとする課題】
【０００７】夏季のエアコンの使用に於いては、外気温が高い事と、直射日光により室外機が温度上昇する。その為にアルミ凝縮材やコンプレッサーの温度が上昇し、熱交換の効率が低下してしまう。その為、この部分の温度を下げてしまう方式が望ましい。そこで、その方策として、エアコンの室外機に遮熱塗料を塗布する方法が考えられ、また、直射日光を遮るための日除けを設置する方法もあり。そして、室外機全体をカバーする日除けも効果があるが、台風などの強風時の問題があるので、本体には最小面積での取り付けで行う必要がある。
【課題を解決するための手段】
【００８】  上記の課題に鑑みて試された、本考案の目的を達成する手段として、エアコンの室外機の外面に遮熱塗料を塗布し、更に直射日光を遮ることのできる日除けを室外機本体に直接設置することで効果が認められる。
【考案の効果】
【０００９】  本考案の効果は、先ず第一にエアコン本体の熱上昇を抑える為に、エアコンの室外機に遮熱塗料を塗ることが一般的に行われているが、更に直射日光を遮るための日除けを設置し、その日除けにも遮熱塗料を塗ることにより、より効果的な結果が望まれることとなる。また、日除けには冬季にアルミ凝縮器への霜の附着を防ぐ効果もあるので、その徐霜によっても、更に消費電力を低減させる効果が生まれる。
【考案を実施するための形態】
【００１０】本考案により、特に夏季でのエアコンを使用する場合に於いて、先ずは、エアコン室外機本体の温度上昇を抑えることができ、また、直射日光を遮ることが出来るので、エアコン本体の熱上昇による熱交換効率の低下を防ぐことが出来るようになる。
【実施例】
【００１１】  以下、添付図面に従って実施例を説明する。１は、エアコンの室外機の前面である。また２は室外機の側面部である、そして室外機全体には、遮熱塗料が、塗布されている。また、３は、直射日光を遮る日除けであり、この日除けは、直射日光が、エアコンのアルミ凝縮機やファンに直接照しないような位置に設置される。以上により、夏季においての、エアコンの室外機の熱交換効率の低下を招くことが無くなるので、エアコンの効果的な運転が、実施されることとなる。
【図面の簡単な説明】
【００１２】
【図１】本考案に於いて、特に真夏の炎天下でのエアコン自体の消費電力を軽減するために、エアコン出外機の外部に遮熱塗料を塗布し、同時に日除けの為のひさしを設置したことを示した図である。
【符号の説明】
【００１３】１  全体に遮熱塗料を塗ったエアコン室外機の前面
２  全体に遮熱塗料を塗ったエアコン室外機の側面
３  アルミ製凝縮機側か全面に遮熱塗料を塗布した日除けひさし
【図１】
0003232440.tif 000003
【手続補正書】
【提出日】令和2年6月24日(2020.6.24)
【手続補正１】
【補正対象書類名】実用新案登録請求の範囲
【補正対象項目名】全文
【補正方法】変更
【補正の内容】
【実用新案登録請求の範囲】
【請求項１】
エアコンの作動は、室外機から外気を取り入れ、それをエアコン室内機に送り届けるのであるが、特に炎天下に発生する、エアコン室外機の温度上昇によって、熱交換効率の低下を防ぐ為に、室外機の外周に遮熱塗料を塗布し、更に効率を上げる為と、強風による破損を防ぐ為に、室外機本体に遮熱塗料を塗布した、日陰ひさしを設置したことを特徴とするエアコン出外機。
【手続補正書】
【提出日】令和2年10月12日(2020.10.12)
【手続補正１】
【補正対象書類名】実用新案登録請求の範囲
【補正対象項目名】全文
【補正方法】変更
【補正の内容】
【実用新案登録請求の範囲】
【請求項１】
夏季のエアコン使用に於いては、外気温が高い事と、直射日光の照射により、エアコンの室外機の温度が上昇してしまうことになり、その結果としてアルミ凝縮器や、コンプレッサーの温度が上昇するため、熱交換効率が低下してしまって、冷房効果が悪くなることとなる。その為に、特に夏季に於いては、エアコン機器内部の温度を下げることが必要となる。  そこでその対策として、エアコンの室外機に遮熱塗料を塗布して、エアコン室外機の温度上昇を抑える事が必要となる。  このように、遮熱塗料を塗布しての温度降下の成果としては、夏の日射が強い時に、建物の屋根・外壁・屋上に遮熱塗料を塗布した結果、最大で屋根の温度が、１５〜２０℃低下した結果が見られたのです。  その為、それと同様の効果を得る対策として、エアコンの室外機に遮熱塗料を塗布して、エアコン室外機の温度を抑える対策を取り、室外機本体の外面に直接日除けを設置して、直射日光を遮る方策を講ずることを行い。その日除けにも遮熱塗料を塗布する。  以上、この二つの対策により，夏季のエアコンの冷房効果が大きく得られるため、夏季のエアコン消費電力を低減させることが出来る。
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
特に夏の炎天下に発生する、エアコン室外機の温度上昇によって、熱交換効率の低下を防ぐ為に、室外機の外周に遮熱塗料を塗布し、更に効率を上げる為と、強風による破損を防ぐ為に、室外機本体に遮熱塗料を塗布した、日除けひさしを設置したことを特徴とするエアコン室外機。
(57)【要約】      （修正有）【課題】農作業時において、トラクターロータリーカバー内の泥を落とす、作業性に優れたスクレーパーを提供する。【解決手段】スクレーパー１００は、刃体部１と柄２とで構成され、刃体部１をバネ鋼の薄板状体で形成し、厚さは略０．６ｍｍで、刃先部３から柄２側にかけてテーパー状に形成して、柄２に装着する。背中部４延長線と刃先部３延長線とで形成される角度は８０°〜８５°に形成することにより、刃体部１がトラクターロータリーカバー内に差し込み易く、大きくしなるので作業時間の短縮と作業性の向上に役立つ。【選択図】図１
0003232495.tif 000002
【実用新案登録請求の範囲】
【請求項１】
農作業に使用するトラクターロータリーカバー内の泥をかき落すスクレーパー（１００）
であって、前記スクレーパー（１００）は刃体部（１）と柄（２）とで構成され、前記刃体部（１）はバネ鋼でなる薄板状体であり、前記刃体部（１）の背中部（４）延長線と刃先部（３）延長線とで形成される角度が８０°〜８５°であり、前記刃体部（１）の腹部（５）延長線と前記刃先部（３）延長線とで形成される角度が９５°〜９０°であることを特徴とするスクレーパー（１００）。
【考案の詳細な説明】
【技術分野】
【０００１】
本考案は、農作業時におけるトラクターロータリーカバー内に付いた泥落としに使用するスクレーパーに関するものである。
【背景技術】
【０００２】
農作業時におけるトラクターロータリーカバー内の泥をかき落とす場合、市販の泥落とし具が種々販売されているがスクレーパー部が大きくしなる物がなく小刻みに何回も押し込まなければ泥をかき落とせないので大変な作業であり時間がかかっていた。
市販の品物では、鋼製のものが販売されているが、トラクターロータリーカバー内の狭い場所では使いにくい面がある。
【考案の概要】
【考案が解決しようとする課題】
【０００３】
従来の泥落とし具は鋼製仕上げのものが販売されているが、スクレーパー部の長さが短いのでしなりが少なく、トラクターロータリーカバー内の泥をかき落とすには小刻みに何回も押し込まなければならない。本考案によるスクレーパーは、バネ鋼の薄板状体で、従来の泥落とし具よりスクレーパー部の長さを長くし、スクレーパー部全体が大きくしなる構造にして前述の問題点を解決しようとするものである。
【課題を解決するための手段】
【０００４】
農作業に使用するトラクターロータリーカバー内の泥をかき落すスクレーパーであって、前記スクレーパーは刃体部と柄とで構成され、前記刃体部はバネ鋼でなる薄板状体であり、前記刃体部の背中部延長線と前記刃先部延長線とで形成される角度は８０°〜８５°であり、前記刃体部の腹部延長線と前記刃先部延長線とで形成される角度は９５°〜９０°とすることで前述の問題点を解決している。
【考案の効果】
【０００５】
上述のように、スクレーパー刃体部をバネ鋼の薄板状体とすることにより容易にトラクターカバー内の奥まで差し込むことができ、トラクターロータリーカバー内に沿って大きくしなり、刃体部の背中延長線と前記刃先部延長線とで形成される角度を８０°〜８５°に、刃体部の腹部延長線と前記刃先部延長線とで形成される角度を９５°〜９０°に形成しているので差し込み易くトラクターロータリーカバー内の奥の方まで軽い力で一気に押し込むことができるので操作しやすく効率的に作業ができる。
【図面の簡単な説明】
【０００６】
【図１】本考案のスクレーパー１００の斜視図である。
【図２】本考案のスクレーパー１００の正面図で、刃体部の背中部（４）延長線と刃先部（３）延長線とで形成される角度はA、刃体部（１）の腹部（５）延長線と前記刃先部（３）延長線で形成される角度はBである。
【図３】本考案のスクレーパー１００の側面図である。
【図４】従来の刃体部（１）のしなり状態を示す側面図である。
【図５】本考案の刃体部（１）のしなり状態を示す側面図である。
【図６】本考案のスクレーパー１００をロータリーカバー２０２内での使用状態を示す側面図である。
【考案を実施するための形態】
【０００７】
刃体部はバネ鋼の薄板状体で厚みは略０．６mm、背中部の長さは略３０cm、刃先部の幅は略８cmで、背中部（４）延長線と刃先部（３）延長線とで形成される角度は略８０°で、腹部（５）延長線と前記刃先部（３）延長線とで形成される角度は略９５°である。刃体部の柄側の幅は略５cmで、柄に差し込み、ピンでとめているスクレーパーである。
【実施例】
【０００８】
以下、添付図面に従って実施例を説明する。図４は従来の刃体部（１）のしなり状況を示す図である。
図５は柄（２）の先端に支持部を設け、刃先部（１）に荷重をかけた時の本考案の刃体部（１）のしなり状況を示す図である。
図６は使用状況を示す実施例で、スクレーパー１００をトラクターロータリーカバー２０１内の奥まで差し込んだ状況で、刃体部（１）が湾曲して大きくしなったことを示す図である。
【符号の説明】
【０００９】
１  刃体部
２  刃先部
３  背中部
４  柄
５  腹部
６  ピン
１００  スクレーパー
２００  耕うん爪
２０１  ロータリーカバー
２０２  トラクターロータリー
【図１】
0003232495.tif 000003
【図２】
0003232495.tif 000004
【図３】
0003232495.tif 000005
【図４】
0003232495.tif 000006
【図５】
0003232495.tif 000007
【図６】
0003232495.tif 000008
(57)【要約】      （修正有）【課題】ダンボール箱の中の商品の破損を保護する梱包を簡単な作業と安い梱包材費で実現し、緩衝材の後かたづけを軽減できる輪ゴム付きダンボールパットを提供する。【解決手段】輪ゴム付きダンボールパット４は、ダンボール箱６の中に入れる商品７を載置するダンボール箱６の底面の内寸と同じ大きさのダンボールパットと、底面から縦方向につながり向かい合い、高さがダンボール箱６の高さの内寸と同じ２つの側面のダンボールパットで構成するコの字形のダンボールパット４であり、底面のダンボールパットの４隅の角にスリットを施し、横方向に２つの側面のダンボールパット同士が向かい合う２つのスリットに輪ゴムを引っかけ、残る２つのスリットにたすき掛けをするように輪ゴムをクロスさせてから引っかけ、たすき掛けした輪ゴムの下に商品を入れ、輪ゴムの収縮力で商品を固定させ、ダンボール箱６の中に入れて封緘する。【選択図】図２
0003232461.tif 000002
【実用新案登録請求の範囲】
【請求項１】
オンラインショップ及びテレビショッピングの物品販売業者から客が購入した商品を客に送るために使用するダンボール箱において、商品を配送中に衝撃による破損防止に、ダンボール箱の中に入れる商品をダンボール箱の底面の内寸と同じ大きさのダンボールパットに、底面から縦方向につながり向かい合う２つの側面のダンボールパットの高さをダンボール箱の高さの内寸と同じ２つの側面のダンボールパットで構成するコの字形のダンボールパットを設け、底面のダンボールパットの４隅の角に輪ゴムを引っかけるためのスリットを施し、横方向に２つの側面のダンボールパット同士が向かい合う２つのスリットに輪ゴムを引っかけ、残る２つのスリットにたすき掛けをするように輪ゴムをクロスさせてから引っかけ、たすき掛けした輪ゴムの下に商品を入れ、輪ゴムの収縮力で商品を固定させた輪ゴム付きダンボールパットをダンボール箱の中に入れて使用する輪ゴム付きダンボールパットで、ダンボール箱の中に輪ゴム付きダンボールパットの輪ゴムの収縮力で商品を固定させからダンボール箱に入れてから封緘することで、外部の衝撃から商品を保護することを特長とした輪ゴム付きダンボールパット。
【考案の詳細な説明】
【技術分野】
【０００１】本考案は物品販売業者がダンボール箱の中に商品を入れて配送するときに、外部からの衝撃で商品が破損しないようにするための梱包資材に関する物である。
【背景技術】
【０００２】物品販売業者がダンボール箱の中に入れた商品を外部からの衝撃で破損させないために、ダンボール箱の中に入れた商品が小さい場合、商品の周りに緩衝材としてエアーキャップ、エアー緩衝材や更紙を丸めて開いた空間に詰め込み商品を保護するのが一般的であるが、梱包に手間と緩衝材の費用がかかり、さらに緩衝材のゴミを片づけるのは商品を受け取る側の客で大変苦痛に感じている。
【先行技術分野】
【０００３】緩衝材を使わないで商品を保護する方法として、収縮性の高いフイルムをダンボールパットに取り付けダンボールパットとフイルムの間に商品を入れて商品を保護する新しいスタイルの梱包資材が販売されている。
【０００４】
【考案の概要】
【考案が解決しようとする課題】
【０００５】本考案は、ダンボール箱の中に入れた商品を配送中に外部からの衝撃での商品の破損を保護する梱包を簡単な作業と安い梱包材費と、商品を受け取る客の緩衝材の後かたづけを軽減できるようにする。
【課題を解決するための手段】
【０００６】ダンボール箱の中に入れる商品をダンボール箱の底面の内寸と同じ大きさのダンボールパットに、底面から縦方向につながり向かい合う２つの側面のダンボールパットの高さをダンボール箱の高さの内寸と同じ２つの側面のダンボールパットで構成するコの字形のダンボールパットを設け、底面のダンボールパットの４隅の角にスリットを施し、横方向に２つの側面のダンボールパット同士が向かい合う２つのスリットに輪ゴムを引っかけ、残る２つのスリットにたすき掛けをするように輪ゴムをクロスさせてから引っかけ、たすき掛けした輪ゴムの下に商品を入れ、輪ゴムの収縮力で商品を固定させてから輪ゴム付きダンボールパットをダンボール箱の中に入れて封緘する。
【考案を実施するための形態】
【０００７】以下、本考案の実施形態の一例を図面に基づき詳細に説明する。ダンボールの２つの側面パット１とダンボール底面パット２で構成するコの字形ダンボールパット３に底面の４隅のスリット８に輪ゴム４をたすき掛けし、輪ゴムの収縮力で商品を固定させ、ダンボール箱５の中に入れて封緘する。
【０００８】また、ダンンボール底面パットの４隅に施すスリットであるが、４隅と限定するものではなく、スリットを６カ所、８カ所としてもよく、商品の形態により輪ゴムの掛け方を変えられるようにする。
【０００９】さらに、ダンボール底面パットに引っかける輪ゴムであるが１本と限定するものではなく、商品の大きさや形態により２本の輪ゴムを使用し商品を確実に固定できるようにする。
【００１０】さらに、輪ゴム付きダンボールパットを入れるダンボール箱であるが、ダンボール箱に限定するものではなく、輪ゴム付きダンボールパットを手提げ袋及び紙袋に入れて使用することもできる。
【考案の効果】
本考案は、ダンボール箱の中に入れた商品を配送途中の外部の衝撃から商品を保護するために、簡単な梱包作業と安い梱包材費と客のプラスチック緩衝材の後かたづけの軽減が図れ商品販売業者と客のメリットを実現し、また毎年利用量が増え続けるプラスチック緩衝材の廃棄物処理の問題からもプラスチック緩衝材に頼らないメリットは大きい。
【図面の簡単な説明】
【００１１】
【図１】図１は本考案にかかる輪ゴム付きダンボールパットの具体的な実施例の１例を示す正面図である。
【図２】図２は本考案にかかる輪ゴム付きダンボールパットをダンボール箱の中に入れる状態の具体的な実施例の１例を示す斜視図である。
【符号の説明】
【００１２】１  ダンボール側面パット
２  ダンボール底面パット
３  ダンボールパットをコの字形にする折り線
４  コの字形輪ゴム付きダンボールパット
５  輪ゴム
６  段ボール箱
７  商品
８  スリット
【図１】
0003232461.tif 000003
【図２】
0003232461.tif 000004
(57)【要約】      （修正有）【課題】吊り下げ玩具に音声などの機能を加え、より娯楽性を高めるものである。【解決手段】支持体３に、一つ又は複数の個体２を吊り下げた玩具であって、支持体及び個体は導電体で構成され、電子回路部４は、静電容量センサー４１と音発生装置４２を備え、支持体に配置され、個体と支持体は、静電容量センサーに接続され、電極となる構成で、個体、又は支持体に接触又は近接すると、静電容量センサーが、静電容量の変化を感知して音声等を発するようにしたことを特徴とする玩具。【選択図】図１
0003232487.tif 000002
【実用新案登録請求の範囲】
【請求項１】
支持体３に、一つ又は複数の個体２を吊り下げた玩具であって、支持体３及び個体２は導電体で構成され、電子回路部４は、静電容量センサー４１と音発生装置４２を備え、支持体に配置され、個体２と支持体３は、静電容量センサーに接続され、電極となる構成で、個体２、又は支持体３に接触又は近接すると、静電容量センサーが、静電容量の変化を感知して音声等が発するようにしたことを特徴とする玩具。
【請求項２】
支持体３に、一つ又は複数の個体２を吊り下げた玩具であって、個体２は導電体で構成され、電子回路部４は、静電容量センサー４１と音発生装置４２を備え、個体２に配置され、個体２は、静電容量センサーに接続され電極となる構成で、個体２に接触又は近接すると、静電容量センサーが、静電容量の変化を感知して音声等を発するようにしたことを特徴とする玩具。
【請求項３】
前記個体２は、ステンレス、銅、真鍮などの金属による導電体で、これらの個体はそれぞれ異なった色合いを持ち、これら複数の個体を組み合わせることによって、色合いを楽しめるようにしたことを特徴とする請求項１又は２に記載の玩具。
【考案の詳細な説明】
【技術分野】
【０００１】  一般に用いられているモビールは様々な形状をした数枚、あるいは数個の個体を木材や金属に吊るし、吊るした個体のバランスを取りながら揺れる個体を楽しむものであるが、本考案はこの個体、又はこの個体を吊るすための支持材等に触れることによって、又は非接触で鳴き声や音声が発せられる工夫をしたものである。
【背景技術】
【０００２】  モビールと呼ばれるこの種のものは、単に吊るした個体の動きを楽しむものであるが、更に楽しさを倍増させるために音声等が発せられるように工夫したものである。
【先行技術文献】
【特許文献】
【０００３】
【特許文献１】特開平２００４−１４６０９９
【特許文献２】実用新案登録第３１７４４２３
【考案の概要】
【０００４】  音声を発生させるための手段として、接触、非接触を問わず、個体又は支持材には導電材（主に金属）を用い、これを電極として電子部品との組み合わせによって機能させる。
【考案が解決しようとする課題】
【０００５】  モビールは老若男女問わず、様々な形状のものに魅せられ楽しまれているが、個体の形状の動きを楽しむに過ぎず、これに音声や音が加われば更に楽しみが増す。例えば猫の形をした個体に手などが触れたり近づいたりすることによってニャンと鳴いたり、同じように愛犬家が犬の形状をした個体に触れたり近づくことによって、ワンと鳴いたりと音声や音が加わることによって、吊るした個体の動きとともに音を加えることができれば楽しさが更に増すことが期待できる。
【課題を解決するための手段】
【０００６】  支持体３に、一つ又は複数の個体２を吊り下げた玩具であって、支持体３及び個体２は導電体で構成され、電子回路部４は、静電容量センサー４１と音発生装置４２を備え、支持体に配置され、個体２と支持体３は、静電容量センサーに接続され、電極となる構成で、個体２、又は支持体３に接触又は近接すると、静電容量センサーが、静電容量の変化を感知して音声等が発するようにしたことを特徴とする玩具。【０００７】  支持体３に、一つ又は複数の個体２を吊り下げた玩具であって、個体２は導電体で構成され、電子回路４は、静電容量センサー４１と音発生装置４２を備え、個体２内に配置され、個体２は、静電容量センサーに接続され電極となる構成で、個体２に接触又は近接すると、静電容量センサーが、静電容量の変化を感知して音声等を発するようにしたことを特徴とする玩具。【０００８】  個体２は、ステンレス、銅、真鍮などの金属による導電体で、これらの個体はそれぞれ異なった色合いを持ち、これら複数の個体を組み合わせることによって、色合いを楽しめるようにしたことを特徴とする玩具。
【考案の効果】
【０００９】  本考案によれば、一般的なモビール玩具に音声の機能が加わることによって、老若男女問わず楽しさを倍増させたモビール玩具を提供することができる。
【図面の簡単な説明】
【００１０】
【図１】本考案のモビールなどの玩具で電子回路部を支持体に備えた構成（実施形態１）
【図２】本考案のモビールなどの玩具で、電子回路部を個体に備えて構成（実施形態２）
【考案を実施するための形態】
【００１１】  本考案のモビールなどの玩具の２つの実施例を図１と図２に示す。
（実施形態１）
実施形態１は、電子回路部４を支持体に配置した形態である。
図１は、天井などに吊るすための支持体３に、複数の個体２を吊るしたモビールの実施例である。
例えば。支持体３は、天井から吊り下げる支持本体３１と、その下端から複数に分岐した分岐部３２、及び、分岐部に個体２を吊り下げるための吊り部３３からなる。吊り部３３に、一つ又は複数の個体２を吊り下げる。支持本体３１、分岐部３２、吊り部３３でなる支持体３及び個体２は、導電体で構成され電気的に接続されている。
電子回路４は、静電容量センサー４１と音発生装置４２を備え、支持体に配置され、個体２と支持体３は、静電容量センサーに接続され、静電容量センサーの電極となる構成で、個体２又は支持体３に接触又は近接すると、静電容量センサーが、静電容量の変化を感知して音声等が発するようにしたことを特徴とする玩具である。
導電体で電極となる個体や支持体と電子回路部を分けることによって、電極部を簡素化、軽量化することが出来る。電極の軽量化によって数多くの個体を吊るすことが出来る。
【００１２】  実施形態２は、図２に示すように、電子回路部は、支持体ではなく、各個体に配置した形態である。個体２は導電体で、電子回路部の静電容量センサーの電極となるように接続されている。実施形態２では、支持体は導電体でなくともよい。
【００１３】  実施形態１と実施形態２では、電極に導電体となる支持体又は個体を電極に用いることにより、電子回路部との組み合わせによって、個体又は支持体に人の手などを近づけることによって感応させ音発生装置４２による音声等を発することができる。
【産業上の利用可能性】
【００１４】  個体又は支持体に人の手などを近づけることによって静電容量を感応させて音を発生させる玩具を提供する。
【符号の説明】
【００１５】  １  玩具
２  個体
３  支持体
３１  支持本体
３２  分岐部
３３  吊部
４  電子回路部
４１  静電容量センサー
４２  音発生装置
【図１】
0003232487.tif 000003
【図２】
0003232487.tif 000004
(57)【要約】      （修正有）【課題】電流の流れを阻害する、電気回路からヒューズへのノイズ及び電磁波の侵入を阻止すると同時に、発するノイズを抑制することで周辺の電気回路への悪影響を防止し、信頼性の高い電子制御を得ることで自動車の性能を向上させることができる自動車用ヒューズを提供する。【解決手段】自動車用ヒューズは、ハウジング２と、ハウジング２から露出した一対の端子３ａ、３ｂと、両端子３ａ、３ｂ間に接続された溶断部を備え、自動車用ヒューズのハウジング２は帯電防止剤がまんべんなく塗布され、ハウジング２全体が帯電防止剤の被膜で覆われ、電気回路へヒューズを介して侵入しようとするノイズ及び電磁波を遮断する。端子端部は合成樹脂を含有する絶縁体により被覆され、ノイズの放電が防止され、隣接する回路への悪影響を阻止し、自動車の性能を大幅に向上させることができる。【選択図】図１
0003232427.tif 000002
【実用新案登録請求の範囲】
【請求項１】
ハウジング部分に、ノイズおよび電磁波侵入防止のため、帯電防止剤を塗布されている自動車用ヒューズ
【請求項２】
端子のうち、その端部に放電防止のため合成樹脂を含有する絶縁材を塗布されている自動車用ヒューズ。
【考案の詳細な説明】
【技術分野】
【０００１】本考案は、自動車用ヒューズに関するものである。
【背景技術】
【０００２】従来の自動車用ヒューズは、ハウジングとハウジングから露出した一対の端子と、両端子間に接続された溶断部をハウジング内部に配設しており、回路の短絡時においては、溶断部が溶断することによって、入力端子と出力端子の導通が遮断されることで、各種電気機器に過電流が流れることを防止するものである。
【考案の概要】
【考案が解決しようとする課題】
【０００３】この従来の自動車用ヒューズは、外部からのノイズや電磁波に対して保護されているものではないため、電気回路へ侵入するノイズや電磁波により、回路を流れる電流の障害となっている。【０００４】自動車用ヒューズの端子はプレスによる打ち抜き製造のため、その端部は鋭利な突起物となっており通電状態において自らノイズを放出する形状となっている。
【課題を解決するための手段】
【０００５】本考案に係る自動車用ヒューズは、作業性向上や診断性向上のための樹脂製のハウジングに帯電防止剤を塗布し、外部からヒューズを介して該電気回路に侵入するノイズおよび電磁波を阻止することで、回路全体に流れる電流の安定化を図る。【０００６】プレスによる打ち抜き製造ゆえの鋭利な端部に、絶縁材を塗布することでノイズの発生を防止する。
【考案の効果】
【０００７】本考案は、次のような著大な効果を奏する。【０００８】自動車用ヒューズのハウジング部に帯電防止剤を塗布することで、信号回路の整流を行い、各種コンピュータに外的要因による乱れのない信号を送ることで、素早く正確な電算処理につなげることができ、例えばエンジン出力の向上を果たすことができる。
エンジン出力の向上は、シャシダイナモ等の計測機器で確認することができる。【０００９】自動車用ヒューズの端子部分のうち、その端部の鋭利な断面部を絶縁体を塗布することにより、ノイズの放出を抑え込むことで、隣接及び付近の電気回路へのノイズの侵入を防止することができ、例えばエンジン制御用の電気信号回路の信号の乱れを防止することで、エンジン出力向上を測ることができる。
信号回路へのノイズ侵入防止は、オシロスコープにより確認ができる。エンジン出力の向上は、シャシダイナモ等の計測機器で確認することができる。
【図面の簡単な説明】
【００１０】
【図１】自動車用ヒューズの正面図である。
【図２】自動車用ヒューズの側面図である。
【考案を実施するための形態】
【００１１】自動車用ヒューズは、ハウジングとハウジングから露出した一対の端子と、両端子間に接続された溶断部をハウジング内部に配設しており、回路の短絡時においては、溶断部が溶断することによって、入力端子と出力端子の導通が遮断されることで、各種電気機器に過電流が流れることを防止するものであり、外部からのノイズ及び電磁波の電気回路への侵入を防止する構造を持たないものが一般的で、かつ端子の端部よりノイズの放電を防止する構造を持たないものが一般的である。
【００１２】ハウジングに、外部から該電気回路へのノイズ及び電磁波の侵入を阻止すべく帯電防止剤を塗布し被覆をする。
【００１３】ハウジングから露出した一対の端子において、端子端部に合成樹脂を含有した絶縁材により被覆をする。
【符号の説明】
【００１４】  １    ヒューズ本体
２    ハウジング
３ａ  一対の端子のうち片側
３ｂ  一対の端子のうち３ａ出ない側
３ｃ  ３ａおよび３ｂの端部全面
【図１】
0003232427.tif 000003
【図２】
0003232427.tif 000004
(57)【要約】      （修正有）【課題】力士の怪我を防止し健康を増進する相撲の競技場を提供する。【解決手段】地面に比べ最高で３センチメートル高く最低で３センチメートル低い土で作られた１辺が１４．０メートルの正方形の土台１と、土台に比べ俵の上部まで５センチメートルの高さで俵の下部まで０センチメートルの高さである俵と、土台の中央にあって俵で形づくられた円形で俵の内径が２５尺＝７５７．５センチメートル（１尺＝３０．３センチメートルとして）である土俵２、及び、土俵の中央にある幅６センチメートルで長さ９０センチメートルの７０センチメートル間隔で２本敷かれた力士が仕切るための仕切り線３で構成される。力士の怪我を防止し力士の健康を増進する効果が期待される。【選択図】図１
0003232425.tif 000002
【実用新案登録請求の範囲】
【請求項１】
地面に比べ最高で３センチメートル高く最低で３センチメートル低い土で作られた１辺が１４．０メートルの正方形の土台と、当該土台に比べ俵の上部まで５センチメートルの高さで俵の下部まで０センチメートルの高さである俵と、当該土台の中央にあって当該俵で形づくられた円形で当該俵の内径が２５尺＝７５７．５センチメートル（１尺＝３０．３センチメートルとして）である土俵及び、当該土俵の中央にある幅６センチメートルで長さ９０センチメートルの７０センチメートル間隔で２本敷かれた力士が仕切るための仕切り線で構成された、力士の怪我を防止し力士の健康を増進する効果の期待される相撲の競技場。
【考案の詳細な説明】
【技術分野】
【０００１】  この発明は、力士の怪我を防止し健康を増進する相撲の競技場に関する。
【背景技術】
【０００２】  従来の相撲の競技場は、段差があって力士の競技中あるいは練習中の怪我が多くあった。また土俵が狭いため四つ相撲型の力士より付き押し型の力士に有利であり、ともすれば訓練で筋肉量を増やして体重を増やすのではなく食事を増やして脂肪量を増やして体重を急激に増やす力士もいて糖尿病などの疾患に罹患しやすい傾向があった。
【考案の概要】
【考案が解決しようとする課題】
【０００３】  本考案は、力士の怪我を防止し健康を増進する相撲の競技場を考案する。
【課題を解決するための手段】
【０００４】  本考案は、段差のない平坦な相撲の競技場で力士の怪我を減らし、通常は１５尺＝４．５５メートルの内径である狭い土俵を２５尺＝７．５７５メートルの内径であるより広い土俵にすることで、付き押し型の力士より四つ相撲型の力士にも有利であるようにし訓練で筋肉量を増やし体重を増やす力士をより増やし、食事を増やし脂肪量を増やし体重を急激に増やす力士をより減らして糖尿病などの疾患を減らし、より健康な力士をふやすための相撲の競技場を考案することにより問題点を解決している。
【考案の効果】
【０００５】  本考案によれば、段差のない平坦な相撲の競技場で力士の怪我を減らし、狭い土俵をより広い土俵にすることで、付き押し型の力士より四つ相撲型の力士にも有利であるようにし訓練で筋肉量を増やし体重を増やす力士をより増やし、食事を増やし脂肪量を増やし体重を急激に増やす力士をより減らし糖尿病などの疾患を減らし、より健康な力士をふやすことができる。
【図面の簡単な説明】
【０００６】
【図１】段差がなく平坦で、より広い土俵を有する相撲の競技場を提案する本考案の一実施形態を示す平面図である。
【考案を実施するための形態】
【０００７】  段差がなく平坦で、より広い土俵を有する相撲の競技場を提案する本考案の一実施形態を図１に示す。
【０００８】  図１において、符号は次のとおりである。
１  土台    ２  土俵    ３  仕切り線
【図１】
0003232425.tif 000003
(57)【要約】      （修正有）【課題】静電気力により固着した樹脂製の袋の開口部を、開きたい場面ですぐに、容易に、開くことのできる補助具を提供する。【解決手段】樹脂製の袋の開口部を開けるための補助具であって、摩擦力のある弾性体３ｂ、４ｂが接合された二つの滑り軸受３ａ、４ａと、滑り軸受を左右に備えた固定軸２と、固定軸にストラップやキーホルダを連結するための留め具１と、を備え、二つの滑り軸受に接合された弾性体は静止状態で２ｍｍ以上５０ｍｍ以下の範囲で離れており、弾性体は樹脂製の袋との当接面に対して、反対側から力を加えると、破損せずに樹脂製の袋に接触することができる。【選択図】図２
0003232442.tif 000002
【実用新案登録請求の範囲】
【請求項１】
樹脂製の袋の開口部を開けるための補助具であって、
摩擦力のある弾性体が接合された滑り軸受と、
前記滑り軸受を左右に備えた固定軸と、
前記固定軸にストラップやキーホルダを連結するための留め具と、
を備え、
前記の二つの滑り軸受に接合された弾性体は静止状態で２ｍｍ以上５０ｍｍ以下の範囲で離れており、
前記の二つの滑り軸受に接合された弾性体は樹脂製の袋との当接面に対して、反対側から力を加えると、破損せずに樹脂製の袋に接触することができる
ことを特徴とする樹脂製袋開口補助具。
【考案の詳細な説明】
【技術分野】
【０００１】  本考案は、静電気力により開口部が固着した樹脂製の袋の開口部を容易に開く補助具に関する。
【背景技術】
【０００２】  薄い樹脂製のシート、具体的に、厚さ０．１ｍｍ以下の薄い板状の物体が重なり合うと静電気力により物体間が固着しやすくなる。例えば、ビニール袋やポリ袋を代表とする樹脂製の袋の開口部は静電気力により固着していることが多い。これを標準的な人の指先の摩擦力のみで分離することは困難である。従来、樹脂製の袋の開口部を開けるには、水分をわずかに指先に付着させることで摩擦力を増加させ、袋の開口部を摘まんでひねることで開口部の固着を解放する方法がとられていた。
【先行技術文献】
【特許文献】
【０００３】
【特許文献１】特開２０１６−２２９８５号  公報
【特許文献２】特開２０１４−２４５９９号  公報
【考案の概要】
【考案が解決しようとする課題】
【０００４】  ２０１９年末より世界的に流行が始まった新型ウイルス感染症の影響により、食料品スーパーを始めとした専門スーパーから含水スポンジが撤去されるようになり、ポリ袋を開けることがさらに困難となっている。ポリ袋を開けたい場面で、容易に開けるための補助具があると便利である。
【課題を解決するための手段】
【０００５】  ストラップやキーホルダを連結する補助具とすることで日常から身に着けることとなり、ポリ袋を開けたい場面ですぐに補助具を使用することができる。補助具に摩擦力のある素材を採用することで、樹脂製の袋を容易に開ける
【考案の効果】
【０００６】  本考案の補助具は、ポリ袋の開口部を容易に開けることができる。またストラップやキーホルダを連結するものであるため装飾品として活用することもできる。
【図面の簡単な説明】
【０００７】
【図１】樹脂製袋開口補助具の静止時側面図
【図２】樹脂製袋開口補助具の動作時側面図
【図３】樹脂製袋開口補助具の静止時前面図
【図４】樹脂製袋開口補助具の動作時前面図
【考案を実施するための形態】
【０００８】  添付の図面に従って実施するための形態について説明する。留め具１にストラップやキーホルダを連結することができる。これにより補助具を鞄や携帯電話に装着することができる。軸２の左右に接続する滑り軸受３ａ３ｂ、及び４ａ４ｂは固定軸の表面を滑ることにより、図２のように可動することができる。滑り軸受３ａ３ｂと滑り軸受４ａ４ｂは静止時においてお互いが離れており（図３参照）、樹脂製の袋の開口部を挟むことを容易にする。弾性体３ｂと弾性体４ｂは弾性があり図４のように変形することで樹脂製の袋の開口部をつかむことができる。弾性体の素材はゴムであることが好ましい。
【０００９】  補助具の使用方法について添付の図面に従って説明する。親指と親指以外の指、例えば人差し指にて弾性体３ｂと弾性体４ｂに指の腹を当てる。この状態で、続いて樹脂製の袋の開口部に補助具を挟むようにしてつかみ（図４参照）、親指と人差し指を互いに反対方向に捻る（図２参照）ことで、樹脂製の袋の開口部を開く。
【００１０】
【符号の説明】
【００１１】１        ストラップやキーホルダを連結する留め具
２        固定軸
３ａ      滑り軸受
３ｂ      滑り軸受に接合する弾性体
４ａ      滑り軸受
４ｂ      滑り軸受に接合する弾性体
【図１】
0003232442.tif 000003
【図２】
0003232442.tif 000004
【図３】
0003232442.tif 000005
【図４】
0003232442.tif 000006
(57)【要約】      （修正有）【課題】バックミラーやサイドミラーの機能が、低く活用するのに制限があった欠点を除いて、確認が難しく危険な状態がある後方確認に活用できる車椅子後方確認空中ディスプレイを提供する。【解決手段】車椅子１の背もたれ２の収納袋３にカメラユニット６を含んで構成される車椅子後方確認空中ディスプレイであって、前記カメラユニットは、前記収納袋内部にある電源４によりコントロールパネル５を用いて駆動され、前記車椅子の後方状態を防水コード７又は前記カメラユニットの無線通信により、前記車椅子の肘かけ８に設置したモニター９に伝送された後方状態を樹脂製光結像ユニット１０から空中ディスプレイする事を特徴とする車椅子後方確認空中ディスプレイにより後方確認を迅速に行い移動を安全に出来る。【選択図】図１
0003232441.tif 000002
【実用新案登録請求の範囲】
【請求項１】
車椅子の背もたれの収納袋にカメラユニットを含んで構成される車椅子後方確認空中ディスプレイであって、モニターに伝送された後方状態を樹脂製光結像ユニットから空中ディスプレイする事を特徴とする車椅子後方確認空中ディスプレイ
【考案の詳細な説明】
【考案の詳細な説明】
【技術分野】
【０００１】  医療用機械器具分野
【背景技術】
【０００２】  従来、車椅子の後方確認には、バックミラーやサイドミラーが設置されていたが、確認が難しく危険な状態があり、機能が低く、活用するのに制限があった。
【考案の開示】
【考案が解決しようとする課題】
【０００３】  本案は、その欠点を除いて、しかも機能を活かした車椅子後方確認空中ディスプレイを開発しようとするものである。
【課題を解決するための手段】
【０００４】  いま、その解決手段を図面を追いながら説明すれば
（イ）車椅子（１）の背もたれ（２）に装着した収納袋（３）内部にある電源（４）によりコントロールパネル（５）を用いてカメラユニット（６）を駆動する。
（ロ）車椅子（１）の後方状態を防水コード（７）又はカメラユニット（６）の無線通信により肘かけ（８）に設置したモニター（９）に伝送する。
（ハ）モニター（９）を調整して、樹脂製光結像ユニット（１０）を制御する。
【考案の効果】
【０００５】  本案は、以上のような構造であるから、これを使用する事により、後方確認を迅速に行い移動を安全にできる車椅子後方確認空中ディスプレイである。
【考案を実施するための最良の形態】
【実施例】
【０００６】  なお、本案の実施にあたって次の如きことができる。
（イ）  車椅子（１）の後方状態をカメラユニット（６）よりモニター（９）に伝送し、樹脂製光結像ユニット（１０）から空中ディスプレイして、移動時の前方・後方の安全を同時に行う事ができる。
【図面の簡単な説明】
【０００７】
【図１】  本考案の車椅子後方確認空中ディスプレイの正面図
【符号の説明】
【０００８】（１）車椅子  （２）背もたれ  （３）収納袋  （４）電源
（５）コントロールパネル  （６）カメラユニット  （７）防水コード
（８）肘かけ  （９）モニター  （１０）樹脂製光結像ユニット
【図１】
0003232441.tif 000003
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
車椅子の背もたれの収納袋にカメラユニットを含んで構成される車椅子後方確認空中ディスプレイであって、前記カメラユニットから、前記車椅子の肘かけに設置したモニターに伝送された後方状態を樹脂製光結像ユニットから空中ディスプレイする事を特徴とする車椅子後方確認空中ディスプレイ
(57)【要約】      （修正有）【課題】手動式灯油ポンプに取り付け、瞬時にオイルの流れを止める器具を提供する。【解決手段】手動式灯油ポンプ４と接続するための接続ホース１と、その接続ホースを挟み圧迫して、ホース内のオイルの流れを止めるためのプライヤーの様な形をしたストップレバー２と、そのストップレバーを給油中、開かせオイルがホースを流れる状態にするためにストップレバーの握り手の内側に取り付けたスプリング３と、手動式灯油ポンプと接続ホースの隙間からオイルが漏れるのを防ぐため接続ホースの内側に取り付けたパッキン５を持つ構造の手動式灯油ポンプ用流量停止具。【選択図】図１
0003232457.tif 000002
【実用新案登録請求の範囲】
【請求項１】
市販されている手動式灯油ポンプ（４）に取り付けるための接続ホース（１）とストップレバー（２）とスプリング（３）とパッキン（５）で構成された流量停止具。
【考案の詳細な説明】
【技術分野】
【０００１】  この考案は、手動式灯油ポンプに取り付ける手動式灯油ポンプ用流量停止具に関するものである。
【背景技術】
【０００２】  従来、手動式灯油ポンプには瞬時にオイルを停止する部品が付いていなかった。ネジ式の停止部品が付いているが瞬時にオイルを停止できない物であった。
【先行技術文献】
【特許文献】
【０００３】
【特許文献１】
【考案の概要】
【考案が解決しようとする課題】
【０００４】  これは、つぎのような欠点があった。
従来、手動式灯油ポンプは、オイルを止める時、ネジ式の停止部品を回して行わなければならないため、瞬時にオイルを止められずオイルタンクからオイルを溢れさせてしまうことが多々あった。
本考案は、以上のような欠点をなくすためになされたものである。
【課題を解決するための手段】
【０００５】  レバーを手でつまむだけで、オイルの流れを瞬時に止めることができる器具を灯油ポンプの出口に接続する、ストップレバーと接続ホースの構成よりなる手動式灯油ポンプ用流量停止具である。
【考案の効果】
【０００６】  レバーをつまむだけで、瞬時に灯油の流れを止められる為、灯油タンクから灯油が溢れることを未然に防げるようになる。
【図面の簡単な説明】
【０００７】
【図１】  本考案の斜視図である。
【図２】  本考案のオイル注入中の断面図である。
【図３】  本考案のオイル停止時の断面図である。
【考案を実施するための最良の形態】
【０００８】以下、本考案を実施するための最良の形態について説明する。
ストップレバー（２）の握り手の部分の内側にスプリング（３）を取り付ける。このスプリング（３）により接続ホース（１）が開いた状態になる。ストップレバー（２）を握りしめると、接続ホース（１）が閉じた状態になり、オイルの流れが遮断される。手を緩めるとスプリング（３）の力により接続ホース（１）が開きオイルが流れるようになる。ストップレバー（２）はプライヤーのような構造である。ストップレバー（２）と接続ホース（１）はその接触面で接着されている。接続ホース（１）と手動式灯油ポンプ（４）の接続部は、接続ホース（１）に取り付けてあるパッキン（５）により、間からオイルが漏れるのを防いでいる。接続ホース（１）は手動式灯油ポンプ（４）のホースに脱着可能である。本考案は、以上のような構造である。
【符号の説明】
【０００９】  １  接続ホース
２  ストップレバー
３  スプリング
４  手動式灯油ポンプ
５  パッキン
【図１】
0003232457.tif 000003
【図２】
0003232457.tif 000004
【図３】
0003232457.tif 000005
【手続補正書】
【提出日】令和3年2月17日(2021.2.17)
【手続補正１】
【補正対象書類名】実用新案登録請求の範囲
【補正対象項目名】全文
【補正方法】変更
【補正の内容】
【実用新案登録請求の範囲】
【請求項１】
手動式灯油ポンプと本物品を接続するための接続ホース（１）と、その接続ホースを挟み圧迫して、ホース内のオイルの流れを止めるためのプライヤーの様な形をしたストップレバー（２）と、そのストップレバーを給油中、開かせオイルがホースを流れる状態にするためにストップレバーの握り手の内側に取り付けたスプリング（３）と、手動式灯油ポンプと接続ホースの隙間からオイルが漏れるのを防ぐため接続ホースの内側に取り付けたパッキン（５）を持つ構造の手動式灯油ポンプ用流量停止具。
(57)【要約】      （修正有）【課題】軽量かつ外観上は美麗で有り、清掃などのメンテナンスの容易な硝子建材を提供する。【解決手段】建物などの建造物の内外装材として使用する硝子建材Ａであり、表面のガラス板１と裏面のアルミニウムやステンレススチール等の金属板材２を接合するポリオレフィン系接着性ポリマーにより接合した二層構造としたことを特徴とする硝子建材である。硝子の表面光沢と金属特有の重厚感を有し、メンテナンスコストの低減を同時に解決する。【選択図】図１
0003232460.tif 000002
【実用新案登録請求の範囲】
【請求項１】
建物などの建造物の内外装材として使用する硝子建材であり、表面のガラス板と裏面のアルミニウムやステンレススチール等の金属板材を接合するポリオレフィン系接着性ポリマーにより接合した二層構造としたことを特徴とする硝子建材。
【考案の詳細な説明】
【技術分野】
【０００１】  本考案は、ガラス表面を有する建物の内外装建材やエレベーター、エスカレーターの内外装材（鏡の用途としてのエレベーター内のステンレススチール製鏡含む）として主に使用するものである硝子建材に関するものである。
【背景技術】
【０００２】  硝子建材としては多くの物があるが、従来のものは窯業原料を印刷、塗布又は吹き付けて装着し、その後、該装着原料面を焼成するもの（特許文献１）や、透明又は半透明の板硝子の一面に、金属材料又は無機顔料により、色彩、模様層を設け、該色彩、模様層の上に窯業原料層を設けて、前記各層を焼成定着し、前記板硝子、色彩、模様層及び窯業原料層を一体化した硝子板を形成したことを特徴とする模様付き硝子建材などが知られている（特許文献２）。
これらのものは、外観上は美麗では有るもののさらに美麗なものを市場では求められていた。【０００３】  一方、表面の清掃作業は、ガラス表面でありメンテナンスのし易さは満足するものであった。【０００４】  硝子と金属例えばステンレススチール板材を接合することは、万能接着剤などを利用することで可能ではあるが、密着性が悪いばかりでなく接着ムラが発生し、端部に未接着部分ができたりすることが少なくない。【０００５】  また、硝子建材に模様をつける場合は硝子建材の表面側に印刷等で模様を設けると、汚損や損傷で修復が困難であった。【０００６】  表面強度については、硝子は満足するものであるが、模様などの付着強度は小さく、模様などが外力によって容易に破損されることが懸念されていたため、普及しない原因となっていた。【０００７】  さらに、硝子の表面光沢と金属特有の重厚感をメンテナンスの良さと美観の良さを同時に解決するものを求める声が多かった。
【先行技術文献】
【特許文献】
【０００８】
【特許文献１】特許第３４９８３０４号公報
【特許文献２】実用新案登録第３１３１４５３号公報
【考案の概要】
【考案が解決しようとする課題】
【０００９】  本考案は、上記に鑑み案出されたものであり、硝子の表面光沢と金属特有の重厚感を有するとともに、金属表面の単一方向に細い線状の傷を付ける表面仕上げのヘアライン仕上げであるヘアライン模様等が硝子表面を通して美麗に表現できる内外装硝子建材を提供することを目的にしたものである。【００１０】  このことにより清掃作業などの省人化が図られるばかりでなくメンテナンスコストの低減や高級感のある内外装建材を提供できることとなる。
【課題を解決するための手段】
【００１１】  本考案の硝子建材は、軽量かつ外観上は美麗では有り、清掃などのメンテナンスの容易な硝子建材を提供することを目的とし、建物などの建造物の内外装材として使用する硝子建材であり、表面のガラス板と裏面のアルミニウムやステンレススチール等の金属板材を接合するポリオレフィン系接着性ポリマーを備えた硝子建材である。【００１２】    上記の接合剤であるポリオレフィン系接着性ポリマーは市販の接合剤（例えば東ソー株式会社製  品番メルセンＭ）は、真空ラミネートプレス機により１０分から１時間行った結果、はみ出しがなく良好に接合できた。【００１３】  本考案の硝子建材は、表面光沢は硝子光沢で、遠目美観は金属光沢を実現したものとなる。
【考案の効果】
【００１４】  本校案の硝子建材は、裏打ち金属を薄板としたことで軽量化とともに硝子強度の向上が図れたメンテナンスの容易な硝子建材を提供することができるものである。
【図面の簡単な説明】
【００１５】
【図１】本考案の構造を示す概略断面図である。
【図２】本考案の施工個所の一部を示す参考斜視の図面代用写真
【考案を実施するための形態】
【００１６】  図１に示す硝子建材Ａは、表面側の硝子１と裏打材としての金属板材２とを、極めて薄いため図示は省略されたポリオレフィン系接着性ポリマーにより接合されたものである。
硝子１は、内外装建材として使用用途の多い１５ｃｍ〜５０ｃｍ角のものであり特に多く使用されるのは３０ｃｍ角で、その厚みは１ｍｍ〜５ｍｍのもので、裏打材としての金属板材２は、その厚みが０．３ｍｍ〜３ｍｍであるが、特コスト面からは０．３ｍｍ〜０．５ｍｍのものが好ましい。尚、金属板に関しては型抜きをしたものと、何もしていない板の二枚を使用する場合もある。
これらを同寸法のポリオレフィン系接着性ポリマーを介して接合するため９０℃〜１２０℃で１０分〜１時間熱して硝子建材Ａを作成するものである。
【００１７】  上記実施例において、具体的数値であり、壁面大きさにより硝子建材Ａの大きさは調整して利用するものである。
また、図２に示すようにエレベーターの扉や、その周辺のビルに内装壁の全部や一部、さらにエレベーター内のステンレススチール製鏡にも応用できるものである。
【００１８】  また上記実施例では直接接合した場合について説明したが、硝子１裏面にサンドブラスト等によるすりガラス様の絵、文字や幾何学模様を施すことも可能である。さらに同様に金属板材２の表面にレーザー加工などの加工処理により絵、文字や幾何学模様を施すことも可能である。
【００１９】  上記により説明した本考案の硝子建材Ａを壁面等に施工取り付けについては、既存の知られている接着剤等の取り付け方法で、合板壁面やセメント壁面に取り付けるものである。
【００２０】  また、ステンレスビス等による機械的取り付けに際しては、裏打ちの金属板材２の上下左右に取付け用の矩形や半楕円形の取付け片を形成して行うものである。
【産業上の利用可能性】
【００２１】  建築産業での、内外装建材として利用でき、メンテナンスの容易で高級感のあるビライな建造物の床材、壁材、天井材などの建材に利用できるなどの建材産業に利用できる。
【符号の説明】Ａ  硝子建材
１  硝子
２  金属板材
【図１】
0003232460.tif 000003
【図２】
0003232460.tif 000004